(57)【要約】【課題】指定された領域を示す領域枠の残像を目立たなくすることで、ユーザーに与える違和感を軽減すること。【解決手段】表示制御方法は、表示部に表示された画像における領域の指定の入力を受け付ける入力受付工程と、前記領域を示し、規則的な第一の模様を有する領域枠を、前記画像に重ねて前記表示部に表示させる表示制御工程とを備える。前記表示制御工程では、前記第一の模様と同一又は類似し、かつ前記第一の模様と識別可能な第二の模様を、あらかじめ、前記画像に重ねて前記表示部に表示させておく。【選択図】図３
2011180388.tif 000002
【特許請求の範囲】
【請求項１】
表示部に表示された画像における領域の指定の入力を受け付ける入力受付工程と、
前記領域を示し、規則的な第一の模様を有する領域枠を、前記画像に重ねて前記表示部に表示させる表示制御工程と、
を備え、
前記表示制御工程では、
前記第一の模様と同一又は類似し、かつ前記第一の模様と識別可能な第二の模様を、あらかじめ、前記画像に重ねて前記表示部に表示させておく
ことを特徴とする表示制御方法。
【請求項２】
前記第一の模様および前記第二の模様は、
複数のドットが所定の間隔を有して規則的に配列されたグリッド状である
ことを特徴とする請求項１に記載の表示制御方法。
【請求項３】
前記第一の模様および前記第二の模様は、
前記画像に含まれる文字のフォントサイズによって、前記間隔が異なる
ことを特徴とする請求項２に記載の表示制御方法。
【請求項４】
前記第一の模様および前記第二の模様は、
前記画像に含まれる文字のフォントサイズによって、前記ドットの大きさが異なる
ことを特徴とする請求項２または３に記載の表示制御方法。
【請求項５】
前記第二の模様は、
前記第一の模様よりも濃度が薄い
ことを特徴とする請求項１乃至４のいずれか１項に記載の表示制御方法。
【請求項６】
前記表示制御工程では、
前記第二の模様を前記画像に重ねて表示させた後に、前記第二の模様の表示を消去させることにより、前記第二の模様の残像を、あらかじめ前記画像に重ねて前記表示部に表示させておく
ことを特徴とする請求項５に記載の表示制御方法。
【請求項７】
表示部に表示された画像における領域の指定の入力を受け付ける入力受付部と、
前記領域を示し、規則的な第一の模様を有する領域枠を、前記画像に重ねて前記表示部に表示させる表示制御部と、
を備え、
前記表示制御部は、
前記第一の模様と同一又は類似し、かつ前記第一の模様と識別可能な第二の模様を、あらかじめ、前記画像に重ねて前記表示部に表示させておく
ことを特徴とする表示制御装置。
【請求項８】
コンピューターを、
表示部に表示された画像における領域の指定の入力を受け付ける入力受付部、および
前記領域を示し、規則的な第一の模様を有する領域枠を、前記画像に重ねて前記表示部に表示させる表示制御部と、
として機能させるプログラムであって、
前記表示制御部は、
前記第一の模様と同一又は類似し、かつ前記第一の模様と識別可能な第二の模様を、あらかじめ、前記画像に重ねて前記表示部に表示させておく
ことを特徴とするプログラム。
【発明の詳細な説明】
【技術分野】
【０００１】
本発明は、表示制御方法、表示制御装置およびプログラムに関する。
【背景技術】
【０００２】
共通電極が形成された基盤と、画素ごとに画素電極が形成された基盤との間に、電気泳動材料液が注入されたマイクロカプセルを画素ごとに配置した、電気泳動方式を利用したディスプレイが知られている。このようなディスプレイによれば、表示情報に対応する画素の画素電極に対し、電圧を印加してマイクロカプセル内の粒子を移動させることにより、表示情報に対応する画素を着色し、表示情報として表示することができる。このようなディスプレイの中には、既に表示されている画像上を指示体でなぞることにより、既に表示されている画像に重ねて、ユーザーが指定した線、図形などを、表示することができるものがある（たとえば、特許文献１参照。）。
【先行技術文献】
【特許文献】
【０００３】
【特許文献１】特開２００９−２３７３９５号公報
【発明の概要】
【発明が解決しようとする課題】
【０００４】
一方、近年の各種ソフトウェアにおいては、ディスプレイに表示された画像に対して領域を指定させ、指定された領域内に含まれているデータを、コピー、削除するなどの処理をおこなう技術が一般的に利用されている。しかしながら、特許文献１に記載されているような電気泳動方式を用いたディスプレイにおいては、その構造上、表示を切り替えた際に、過去の表示が残像として残ってしまうことがある。このため、領域が指定された後に、指定された領域が解除された場合であっても、この領域を示す領域枠の残像が残って表示されてしまう。また、繰り返し領域が指定された場合、最新の領域枠が表示されるだけでなく、古い領域枠の残像までもが残って表示されてしまう。このように表示された領域枠の残像は、画像中において目立つため、ユーザーに違和感を与えてしまう。
【０００５】
本発明にかかる幾つかの態様は、上記課題を解決することで、指定された領域を示す領域枠の残像を目立たなくすることで、ユーザーに与える違和感を軽減することができる表示制御方法、表示制御装置およびプログラムを提供するものである。
【課題を解決するための手段】
【０００６】
上記課題を解決するため、本発明の第１の態様の表示制御方法は、表示部に表示された画像における領域の指定の入力を受け付ける入力受付工程と、前記領域を示し、規則的な第一の模様を有する領域枠を、前記画像に重ねて前記表示部に表示させる表示制御工程と、を備え、前記表示制御工程では、前記第一の模様と同一又は類似し、かつ前記第一の模様と識別可能な第二の模様を、あらかじめ、前記画像に重ねて前記表示部に表示させておくことを特徴とする。上記本発明に係る表示制御方法によれば、指定された領域以外の他の領域に第一の模様と同一または類似する第二の模様を表示しておくため、第一の模様を有する領域枠が消去された後に、指定されていた領域に第一の模様の残像が表示されている場合であっても、第一の模様すなわち領域枠の残像を目立たなくすることができる。したがって、ユーザーに与える違和感を軽減することができる。
【０００７】
上記表示制御方法において、前記第一の模様および前記第二の模様は、複数のドットが所定の間隔を有して規則的に配列されたグリッド状であってもよい。かかる構成によれば、第一の模様および第二の模様を、単純な模様であるグリッド状としたことで、ユーザーに与える違和感をより軽減することができる。また、模様が占める面積が小さいため、第一の模様および第二の模様が画像の妨げとなることを抑制することができる。また、所定の間隔を有して規則的に配列されたグリッド状としたことで、ユーザーに対し、指定された領域のサイズを定量的かつ直感的に把握させることができる。
【０００８】
上記表示制御方法において、前記第一の模様および前記第二の模様は、前記画像に含まれる文字のフォントサイズによって、前記間隔が異なってもよい。かかる構成によれば、フォントサイズに応じてドットの第一の模様および第二の模様の間隔を異ならせることで、文字に比して間隔が密した状態の模様によって文字がつぶされてしまい、文字が認識できなくなる等の不具合を抑制することができる。
【０００９】
上記表示制御方法において、前記第一の模様および前記第二の模様は、前記画像に含まれる文字のフォントサイズによって、前記ドットの大きさが異なってもよい。かかる構成によれば、フォントサイズに応じてドットの大きさを異ならせることで、文字に比して大きなドットによって文字がつぶされてしまい、文字が認識できなくなる等の不具合を抑制することができる。
【００１０】
上記表示制御方法において、前記第二の模様は、前記第一の模様よりも濃度が薄くてもよい。かかる構成によれば、第一の模様の残像は、第一の模様よりも薄いものである。すなわち、第一の模様の残像および第二の模様がいずれも前記第一の模様よりも濃度が薄いものとなる。したがって、第一の模様の残像を第二の模様により近似させることができるため、第一の模様すなわち領域枠の残像をより目立たなくすることができる。
【００１１】
上記表示制御方法において、前記表示制御工程では、前記第二の模様を前記画像に重ねて表示させた後に、前記第二の模様の表示を消去させることにより、前記第二の模様の残像を、あらかじめ前記画像に重ねて前記表示部に表示させておくことを特徴とする。かかる構成によれば、第一の模様および第二の模様がいずれも残像で表示される。したがって、第一の模様の残像を第二の模様により近似させることができるため、第一の模様すなわち領域枠の残像をより目立たなくすることができる。
【００１２】
また、本発明の第２の態様の表示制御装置は、表示部に表示された画像における領域の指定の入力を受け付ける入力受付部と、前記領域を示し、規則的な第一の模様を有する領域枠を、前記画像に重ねて前記表示部に表示させる表示制御部と、を備え、前記表示制御部は、前記第一の模様と同一又は類似し、かつ前記第一の模様と識別可能な第二の模様を、あらかじめ、前記画像に重ねて前記表示部に表示させておくことを特徴とする。上記本発明に係る表示制御装置によれば、指定された領域以外の他の領域に第一の模様と同一または類似する第二の模様を表示しておくため、第一の模様を有する領域枠が消去された後に、指定されていた領域に第一の模様の残像が表示されている場合であっても、第一の模様すなわち領域枠の残像を目立たなくすることができる。したがって、ユーザーに与える違和感を軽減することができる。
【００１３】
また、本発明の第３の態様のプログラムは、コンピューターを、表示部に表示された画像における領域の指定の入力を受け付ける入力受付部、および前記領域を示し、規則的な第一の模様を有する領域枠を、前記画像に重ねて前記表示部に表示させる表示制御部と、として機能させるプログラムであって、前記表示制御部は、前記第一の模様と同一又は類似し、かつ前記第一の模様と識別可能な第二の模様を、あらかじめ、前記画像に重ねて前記表示部に表示させておくことを特徴とする。上記本発明に係るプログラムによれば、当該プログラムをコンピューターが実行することにより、コンピューターが、指定された領域以外の他の領域に第一の模様と同一または類似する第二の模様を表示しておくため、第一の模様を有する領域枠が消去された後に、指定されていた領域に第一の模様の残像が表示されている場合であっても、第一の模様すなわち領域枠の残像を目立たなくすることができる。したがって、ユーザーに与える違和感を軽減することができる。
【図面の簡単な説明】
【００１４】
【図１】実施形態に係る表示装置１００の外観の一例を示す。
【図２】表示装置１００の機能構成の一例を示す。
【図３】ディスプレイ１２０に表示された画像の一例を示す。
【図４】スタイラスペン１３０によって指定された領域の一例を示す。
【図５】表示制御部２１４による表示制御処理の手順の一例を示す。
【図６】画像の状態を段階的に示すものである。
【図７】画像の状態を段階的に示すものである。
【図８】画像の状態を段階的に示すものである。
【図９】反転表示された文字の一例を示す。
【図１０】画像の状態を段階的に示すものである。
【図１１】表示装置１００のハードウェア構成の一例を示す。
【発明を実施するための形態】
【００１５】
図１は、実施形態に係る表示装置１００の外観の一例を示す。本発明にかかる表示制御装置の一例である表示装置１００は、たとえばユーザーが文書データを閲覧する際に利用する情報処理装置である。たとえば、表示装置１００は、電子ブックである。これに限らず、表示装置１００は、ＰＤＡ（Ｐｅｒｓｏｎａｌ  Ｄｉｇｉｔａｌ  Ａｓｓｉｓｔａｎｔ）、携帯電話、携帯音楽再生装置、携帯動画再生装置、携帯ナビゲーション装置、ノートＰＣ（Ｐｅｒｓｏｎａｌ  Ｃｏｍｐｕｔｅｒ）、デスクトップＰＣなどであってもよい。
【００１６】
表示装置１００は、筐体１１０、表示部の一例としてのディスプレイ１２０、および入力部の一例としてのスタイラスペン１３０を備える。筐体１１０は、電源、ＣＰＵ、メモリー、ハードディスク、ディスプレイ１２０、ディスプレイ駆動回路１２２など、表示装置１００を動作させるための各種ハードウェアを収容する。
【００１７】
ディスプレイ１２０は、筐体１１０の正面に形成されている開口から表示面を露出するように、筐体１１０の内部に設けられている。ディスプレイ１２０は、ディスプレイ駆動回路１２２によって駆動され、文書データを表示する。ディスプレイ１２０は、文書データに限らず、画像データ、管理データ、ボタン、アイコンなどを表示することもできる。本実施形態の表示装置１００は、ディスプレイ１２０として、電気泳動方式を利用した電子ペーパーを用いている。ディスプレイ１２０は、電子ペーパーに限らず、液晶ディスプレイ、プラズマディスプレイ、有機ＥＬディスプレイなど、他の表示デバイスを表示部として備えてもよい。
【００１８】
ディスプレイ１２０の表示面には、タッチパネル（図示せず）が重ねて設けられている。表示装置１００は、このタッチパネルによって、スタイラスペン１３０による情報入力を受け付ける。表示装置１００は、タッチパネルの代わりにディスプレイ１２０の表示面の下に設けた電磁誘導センサボード等によってスタイラスペン１３０による情報入力を受け付けてもよい。
【００１９】
スタイラスペン１３０は、筐体１１０とは別体で設けられている。スタイラスペン１３０は、タッチパネルに対して情報を入力する入力デバイスである。表示装置１００は、スタイラスペン１３０によって入力された操作に従って、予め定められた処理をおこなう。具体的には、表示装置１００は、ディスプレイ１２０の表示面上に設けられているタッチパネルによって、スタイラスペン１３０の接触または押圧を検出する。そして、表示装置１００は、検出した接触または押圧の位置および軌跡に基づいて、スタイラスペン１３０によって入力された情報を特定する。そして、表示装置１００は、特定した情報に基づいて、予め定められた処理をおこなう。たとえば、表示装置１００は、スタイラスペン１３０によって入力された操作に従って、ディスプレイ１２０に表示された文書データの範囲指定、選択、拡大、縮小、ページめくりなど、文書データの表示を制御する。表示装置１００は、なお、表示装置は、スタイラスペン１３０に限らず、キーボード、マウス、トラックボールなど、他の入力デバイスを入力部として備えてもよい。
【００２０】
図２は、表示装置１００の機能構成の一例を示す。表示装置１００は、格納部２１０、入力受付部２１２、および表示制御部２１４を備える。格納部２１０は、各種データを格納する。たとえば、格納部２１０は、文書データを格納する。入力受付部２１２は、スタイラスペン１３０によって入力された各種指示の入力を受け付ける。表示制御部２１４は、ディスプレイ１２０による各種データの表示を制御する。たとえば、スタイラスペン１３０によって、所望の文書を表示する旨の指示が入力されると、入力受付部２１２は、この指示の入力を受け付ける。そして、表示制御部２１４は、入力受付部２１２が受け付けた指示に従って、文書を格納部２１０から読み出し、ディスプレイ１２０に表示させる。
【００２１】
ここで、表示装置１００は、ディスプレイ１２０に表示されている画像に対して領域をユーザーに指定させることができる。ユーザーは、スタイラスペン１３０により、ディスプレイ１２０に表示されている画像に対して領域を指定する。たとえば、ユーザーは、スタイラスペン１３０を操作し、画像上においてカーソルなどのポインタを移動させることにより、この移動軌跡を対角線とする四角形またはこの四角形に内接する図形を領域として指定することができる。他の例としては、スタイラスペン１３０を操作することにより、画像上においてカーソルなどのポインタを移動させ、枠を描くことにより、その枠を領域として指定することができる。
【００２２】
入力受付部２１２は、スタイラスペン１３０によって指定された領域の入力を受け付ける。そして、表示制御部２１４は、スタイラスペン１３０によって指定された領域を示す領域枠を、既に表示されている画像に重ねてディスプレイ１２０に表示させる。これにより、表示装置１００は、画像と指定された領域との位置関係をユーザーに視認させることができるとともに、指定された領域内に含まれている画像、文字、図形等を選択することができる。さらに、表示装置１００は、さらなるユーザーによる指示に応じて、選択した情報に対して、コピー、削除等の処理をすることができる。
【００２３】
図３は、ディスプレイ１２０に表示された画像の一例を示す。図４は、スタイラスペン１３０によって指定された領域の一例を示す。図３および図４に示す画像３００は、ディスプレイ１２０に表示された画像である。この画像３００は、文字データおよび静止画像データを含んでいる。図３に示す画像３００は、スタイラスペン１３０によって領域４００が指定される前の状態を示す。一方、図４に示す画像３００は、スタイラスペン１３０によって領域が指定された事により、表示制御部２１４の制御によって、指定された領域を示す領域枠４００が重ねて表示されている。
【００２４】
ここで、領域枠４００は、規則的な第一の模様を有する。たとえば、図４に示す例では、第一の模様は、四角形状の複数のドット４０２が所定の間隔を有して規則的に配列されたグリッド状である。また、図４に示す画像３００において、領域枠４００以外の部分には、表示制御部２１４の制御によって、あらかじめ、第二の模様が重ねて表示されている。第二の模様とは、第一の模様と同一又は類似し、かつ第一の模様と識別可能な模様を示す。たとえば、図４に示す例では、第二の模様は、第一の模様と同様に、四角形状の複数のドット４０４が所定の間隔を有して規則的に配列されたグリッド状である。ここで、第二の模様の濃度は、第一の模様の濃度よりも薄くなっている。これによって、第一の模様の模様は、第二の模様と識別可能となっている。すなわち、画像３００において、領域４００が識別可能となっている。
【００２５】
このように、表示制御部２１４は、規則的な第一の模様を内側に有する領域枠を、画像に重ねてディスプレイ１２０に表示させる。また、表示制御部２１４は、第一の模様と同一又は類似し、かつ第一の模様と識別可能な第二の模様を、あらかじめ、画像に重ねてディスプレイ１２０に表示させておく。これにより、スタイラスペン１３０によって指定された領域を識別可能としつつ、第一の模様を内側に有する領域枠が画面から消去された際に、この領域枠の第一の模様の残像が残って表示されている場合であっても、第一の模様の残像を目立たなくすることができる。したがって、ユーザーに与える違和感を軽減することができる。
【００２６】
また、表示制御部２１４は、第二の模様の濃度を第一の模様よりも薄くして、第二の模様をあらかじめ、画像に重ねてディスプレイ１２０に表示させておく。これにより、第一の模様と第二の模様が同一または酷似している場合であっても、ユーザは、第一の模様と第二の模様とを容易に識別することができる。すなわち、ユーザーは、指定された領域とそれ以外の領域とを容易に識別することができる。また、第二の模様の濃度を第一の模様よりも薄くしたことで、表示部に表示が残ってしまった第一の模様の残像と、第二の模様との区別がつきにくくなり、第一の模様の残像をより目立たなくすることができる。したがって、ユーザーに与える違和感をより軽減することができる。
【００２７】
なお、第二の模様は、第一の模様と同一のものに限らず、第一の模様に類似していればよい。たとえば、第二の模様は、第一の模様に対し、ドットの形状、ドットの大きさ、ドットの色、ドットの間隔などが異なっていてもよい。第一の模様および第二の模様は、複数のドットが複数配列しているものに限らない。たとえば、第一の模様および第二の模様は、複数の罫線が格子状をなしているものであってもよい。また、第二の模様は、表示画面に表示されている画像の全体の領域に表示されてもよく、一部の領域に表示されてもよい。また、第二の模様は、表示画面の全体の領域に表示されてもよく、一部の領域に表示されてもよい。
【００２８】
第一の模様および第二の模様は、画像に含まれる文字のフォントサイズによって、形状等が異なるものであってもよい。たとえば、第一の模様および第二の模様は、画像に含まれる文字のフォントサイズによって、ドットの間隔が異なるものであってもよい。この場合、フォントサイズが小さいほど文字に比してドット間隔を広くしてもよい。これにより、ドットによって文字がつぶされてしまい、文字が認識できなくなる等の不具合を抑制することができる。また、第一の模様および第二の模様は、画像に含まれる文字のフォントサイズによって、ドットの大きさが異なるものであってもよい。この場合、フォントサイズが小さいほど文字に比してドットの大きさを小さくしてもよい。これにより、ドットによって文字がつぶされてしまい、文字が認識できなくなる等の不具合を抑制することができる。
【００２９】
図５は、表示制御部２１４による表示制御処理（表示制御工程）の手順の一例を示す。図６〜図１０は、図５に示す表示制御処理における、ディスプレイ１２０に表示されている画像の状態を段階的に示すものである。特に、図９は、反転表示された文字の一例を示す。ここでは、ディスプレイ１２０に表示されている画像に対して領域を指定することができる領域指定モードにおける、処理手順の一例を示す。
【００３０】
まず、表示制御部２１４は、ディスプレイ１２０に表示されている画像の全体の領域に対して、第二の模様を重ねて表示させる（ステップＳ５０２）。たとえば、図６に示すように、図３に示した画像３００の全体の領域に対して、四角形状を有する複数のドット６０２が規則的に配列された、第二の模様を重ねて表示する。
【００３１】
つぎに、表示制御部２１４は、ステップＳ５０２で表示した第二の模様を消去する（ステップＳ５０４）。これにより、表示制御部２１４は、画像の全体の領域に対して、第二の模様の残像を表示させておく。たとえば、図７に示すように、図６に示した複数のドット６０２を消去することにより、画像３００の全体の領域には、この複数のドット６０２の残像である複数の残像６０４が表示される。このとき、表示制御部２１４は、元々何らかのデータが表示されていた部分については、第二の模様を消去すると本来のデータも消去されてしまうので、第二の模様を消去しない。なお、図７では、便宜上、残像６０４を、縁があり、かつ白色に塗りつぶされている四角形で示しているが、実際は、縁がなく、灰色（濃度が低い黒色）で塗りつぶされている四角形を用いている。また、図７では、便宜上、本来のデータが表示されていた部分についても残像６０４で示しているが、実際は、本来のデータが表示されている。
【００３２】
つぎに、表示制御部２１４は、スタイラスペン１３０によって領域が指定されたか否かを判断する（ステップＳ５０６）。ステップＳ５０６において、「スタイラスペン１３０によって領域が指定されていない」と判断した場合（ステップＳ５０６：Ｎｏ）、表示制御部２１４は、再度、ステップＳ５０６の処理をおこなう。すなわち、表示制御部２１４は、スタイラスペン１３０によって領域が指定されるまで、後続の処理をおこなわずに待機する。一方、ステップＳ５０６において、「スタイラスペン１３０によって領域が指定された」と判断した場合（ステップＳ５０６：Ｙｅｓ）、表示制御部２１４は、領域が指定されてから所定時間経過したか否かを判断する（ステップＳ５０８）。たとえば、表示制御部２１４は、所定時間を一秒として当該判断処理をおこなうが、これに限定するものではない。
【００３３】
ステップＳ５０８において、「領域が指定されてから所定時間経過していない」と判断した場合（ステップＳ５０８：Ｎｏ）、表示制御部２１４は、再度、ステップＳ５０８の処理をおこなう。すなわち、表示制御部２１４は、領域が指定されてから所定時間経過するまで、領域を確定しない。一方、ステップＳ５０８において、「領域が指定されてから所定時間経過した」と判断した場合（ステップＳ５０８：Ｙｅｓ）、表示制御部２１４は、現時点でスタイラスペン１３０によって指定されている領域を、領域枠を表示すべき領域として確定し（ステップＳ５１０）、ステップＳ５１２へ処理を進める。
【００３４】
ステップＳ５１２においては、表示制御部２１４は、既に第一の模様が表示されているか否かを判断する（ステップＳ５１２）。たとえば、表示制御部２１４は、第一の模様を表示したときに、第一の模様が表示されていることを示すフラグを、メモリに記録しておく。そして、表示制御部２１４は、メモリに記録されているフラグを参照することにより、既に第一の模様が表示されているか否かを判断する。
【００３５】
ステップＳ５１２において、「既に第一の模様が表示されている」と判断した場合（ステップＳ５１２：Ｙｅｓ）、表示制御部２１４は、既に表示されている第一の模様を消去する（ステップＳ５１４）。このとき、表示制御部２１４は、元々何らかのデータが表示されていた部分については、反転表示されているので、この反転表示を解除する（ステップＳ５１６）。そして、表示制御部２１４は、処理をステップＳ５１８へ進める。一方、ステップＳ５１２において、「既に第一の模様が表示されていない」と判断した場合（ステップＳ５１２：Ｎｏ）、表示制御部２１４は、処理をステップＳ５１８へ進める。
【００３６】
ステップＳ５１８においては、表示制御部２１４は、ステップＳ５１０で確定された領域に第一の模様を表示する（ステップＳ５１８）。このとき、表示制御部２１４は、元々何らかのデータが表示されていた部分については、反転表示する（ステップＳ５２０）。たとえば、図８に示すように、スタイラスペン１３０によって指定された領域に対して、第二の模様と同様に、四角形状を有する複数のドット８０２が規則的に配列された、第一の模様を有する領域枠８００を重ねて表示する。このとき、図８に示すように、複数の残像６０４と複数のドット８０２とが重なるように、領域枠８００を表示することが好ましい。領域枠８００が有する第一の模様は、第二の模様と同一であるが、第二の模様に比べてドットの濃度が濃い。このため、ユーザーは、画像３００において、指定された領域を容易に識別することができる。なお、図９に示すように、文字にドット８０２が重ねられた場合、上記文字のうち、重ねられた部分を反転表示することが好ましい。
【００３７】
その後、表示制御部２１４は、処理をステップＳ５０６へ戻す。そして、表示制御部２１４は、スタイラスペン１３０によって領域が指定されるごとに、過去に指定されていた領域を示す領域枠を消去し、現在指定されている領域を示す領域枠を表示する。たとえば、図１０に示すように、過去に指定されていた領域を示す領域枠８００を消去する。これにより、この領域には、第一の模様の残像８０４が表示されるが、残像８０４は、第二の模様の残像６０４と近似しているため、画像３００において、残像８０４が目立つようなことはない。一方、新たに指定された領域に対しては、第二の模様と同様に、四角形状を有する複数のドット９０２が規則的に配列された、第一の模様を有する領域枠９００を重ねて表示する。領域枠９００が有する第一の模様は、第二の模様と同一であるが、第二の模様に比べてドットの濃度が濃い。このため、ユーザーは、画像３００において、新たに指定された領域を容易に識別することができる。
【００３８】
上記のとおり、表示制御部２１４は、第二の模様を画像に重ねて表示させた後に、第二の模様の表示を消去させることにより、第二の模様の残像を、あらかじめ画像に重ねて表示させておく。これにより、第一の模様が消去された後、第一の模様と第二の模様とで、いずれも残像が表示されている。これにより、表示部に表示が残ってしまった第一の模様の残像と、予め表示させておいた第二の模様との区別がよりつきにくくなり、第一の模様の残像をより目立たなくすることができる。したがって、ユーザーに与える違和感をより軽減することができる。
【００３９】
なお、領域指定モードが終了した場合、表示制御部２１４は、表示されている第一の模様および第二の模様をそのままディスプレイ１２０に表示させておいてもよい。この場合、表示制御部２１４は、領域指定モードで指定された領域に対するメニュー画面等を、重ねてディスプレイ１２０に表示させてもよい。他の例として、表示制御部２１４は、ディスプレイ１２０に表示されている全ての画像を消去し、元々ディスプレイに表示されていた表示されていた画像を、表示しなおしてもよい。この場合、表示制御部２１４は、一度ディスプレイ１２０の全領域を塗りつぶし表示した後に、これを消去することにより、ディスプレイ１２０に表示されている全ての画像を消去してもよい。さらに、表示制御部２１４は、表示しなおされた画像に対して、領域指定モードで指定された領域を示す第一の模様を重ねて表示してもよい。さらに、表示制御部２１４は、指定された領域に対するメニュー画面等を、重ねてディスプレイ１２０に表示させてもよい。
【００４０】
本発明の表示制御方法、表示制御装置、およびプログラムは、本実施形態の表示装置１００に限らず、表示部に表示された画像に対して領域の指定を受け付けることが可能な様々な情報処理装置に適用することができる。特に、本実施形態の表示装置１００のように、電気泳動方式を利用した表示部を有する情報処理装置は、表示画面の書き換え時に書き換え前の情報の残像が残りやすい。このため、このような情報処理装置に本発明の表示制御方法、表示制御装置、およびプログラムを適用することで、より高い効果を得ることができる。
【００４１】
図１１は、表示装置１００のハードウェア構成の一例を示す。表示装置１００は、図１で説明したディスプレイ１２０、ディスプレイ駆動回路１２２、およびスタイラスペン１３０に加えて、ＣＰＵ１５０５、ＲＯＭ１５１０、ＲＡＭ１５２０、ＨＤ（ハードディスク）ドライブ１５２５、通信インターフェース１５３０、外部メモリードライブ１５４０、および外部メモリー１５４２をさらに備える。
【００４２】
ＲＯＭ１５１０、ＲＡＭ１５２０、およびＨＤドライブ１５２５は、各種データおよび各種プログラムを格納する。ＣＰＵ１５０５は、ＲＯＭ１５１０、ＲＡＭ１５２０、またはＨＤドライブ１５２５に格納されたプログラムを実行することで、各種データ処理および各種ハードウェア制御をおこなう。
【００４３】
通信インターフェース１５３０は、通信ネットワークに接続し、通信ネットワークを介して外部装置に対するデータの送受信をおこなう。外部メモリードライブ１５４０は、外部メモリー１５４２に接続し、外部メモリー１５４２に対するデータの送受信をおこなう。外部メモリー１５４２としては、たとえば、メモリーカードが挙げられる。外部メモリー１５４２は、フレキシブルディスク、ＣＤ、ＤＶＤ等の記録媒体であってもよい。
【００４４】
たとえば、図２に示した入力受付部２１２は、ＲＯＭ１５１０、ＲＡＭ１５２０、またはＨＤドライブ１５２５に格納されたプログラムをＣＰＵ１５０５が実行することによって、その機能が実現される。また、図２に示した、表示制御部２１４は、ＲＯＭ１５１０、ＲＡＭ１５２０、またはＨＤドライブ１５２５に格納されたプログラムをＣＰＵ１５０５が実行し、ＣＰＵ１５０５がディスプレイ駆動回路１２２を制御することによって、その機能が実現される。また、図２に示した格納部２１０は、ＲＯＭ１５１０、ＲＡＭ１５２０、およびＨＤドライブ１５２５の少なくともいずれか一つによって、その機能が実現される。なお、格納部２１０は、外部メモリー１５４２によってその機能が実現されてもよい。また、格納部２１０は、外部装置が備えるメモリー、ハードディスクなどの記録媒体によってその機能が実現されてもよい。
【００４５】
ＣＰＵ１５０５が実行するプログラムは、外部メモリー１５４２に格納されているものであってもよく、外部装置が備えるメモリー、ハードディスクなどの記録媒体に格納されているものであってもよい。また、ＣＰＵ１５０５が実行するプログラムは、あらかじめ、ＲＯＭ１５１０、ＲＡＭ１５２０、またはＨＤドライブ１５２５されていてもよく、外部メモリー１５４２によって表示装置１００に提供されてもよく、外部装置から通信ネットワークを介して、表示装置１００に提供されてもよい。
【００４６】
以上、本実施形態の表示装置１００によれば、第一の模様と同一または類似する第二の模様を予め画面に重ねて表示しておくため、第一の模様を有する領域枠が消去された後に、指定されていた領域に第一の模様の残像が表示されている場合であっても、第一の模様すなわち領域枠の残像を目立たなくすることができる。したがって、ユーザーに与える違和感を軽減することができる。
【００４７】
なお、本実施形態においては、内側に第一の模様を有する領域枠を例に用いて説明をしたが、これに限らず、領域枠は、内側に第一の模様を有さず、枠部（縁部）に第一の模様を有するものであってもよい。また、領域枠は、内側および枠部（縁部）の双方に第一の模様を有するものであってもよい。
【符号の説明】
【００４８】
１００  表示装置、１１０  筐体、１２０  ディスプレイ、１３０  スタイラスペン、２１０  格納部、２１２  入力受付部、２１４  表示制御部、３００  画像、４００  領域枠、４０２  ドット、４０４  ドット、６０２  ドット、６０４  残像、８００  領域枠、８０２  ドット、８０４  残像、９００  領域枠、９０２  ドット
【図１】
2011180388.tif 000003
【図２】
2011180388.tif 000004
【図３】
2011180388.tif 000005
【図４】
2011180388.tif 000006
【図５】
2011180388.tif 000007
【図６】
2011180388.tif 000008
【図７】
2011180388.tif 000009
【図８】
2011180388.tif 000010
【図９】
2011180388.tif 000011
【図１０】
2011180388.tif 000012
【図１１】
2011180388.tif 000013